(57)【要約】【課題】光伝送路の通信状態を確認するための作業手順を簡略化すると共に人為的ミスに起因する光取出孔への異物の侵入を防止することが可能な通信光検知用アダプタ及び通信光検知構造を提供する。【解決手段】光取出孔１０１を有するアダプタ本体１０２と、アダプタ本体１０２に取り付けられると共に光取出孔１０１が閉鎖される閉位置と光取出孔１０１が開放される開位置との間で摺動自在に配置される摺動式蓋部材１０３と、摺動式蓋部材１０３を開位置から閉位置に向けて付勢する付勢部材１０４と、を備える通信光検知用アダプタ１００である。【選択図】図１
2015166824.tif 000002
【特許請求の範囲】
【請求項１】
光取出孔を有するアダプタ本体と、
前記アダプタ本体に取り付けられると共に前記光取出孔が閉鎖される閉位置と前記光取出孔が開放される開位置との間で摺動自在に配置される摺動式蓋部材と、
前記摺動式蓋部材を前記開位置から前記閉位置に向けて付勢する付勢部材と、
を備えることを特徴とする通信光検知用アダプタ。
【請求項２】
前記アダプタ本体は、上面に前記光取出孔を有する直方体形状の外形を呈し、
前記摺動式蓋部材は、前記アダプタ本体の上面に接触して配置されると共に前記光取出孔を閉鎖又は開放する蓋部と、前記アダプタ本体の側面に間隙を隔てて配置されると共に前記付勢部材が収容される収容部と、を有する請求項１に記載の通信光検知用アダプタ。
【請求項３】
前記摺動式蓋部材は、前記収容部の内面に形成されると共に前記アダプタ本体の側面に当接して前記間隙を一定に維持する左右ガタツキ防止部を更に有する請求項２に記載の通信光検知用アダプタ。
【請求項４】
前記摺動式蓋部材は、前記蓋部と前記アダプタ本体の上面との接触を維持する上下ガタツキ防止部を更に有する請求項２又は３に記載の通信光検知用アダプタ。
【請求項５】
前記摺動式蓋部材は、摺動方向に沿って延在する長孔部を有し、
前記アダプタ本体は、前記長孔部が係合される軸部を有する請求項１から４の何れか一項に記載の通信光検知用アダプタ。
【請求項６】
前記付勢部材は、線材が螺旋形状に折り曲げられて形成されたコイル部と、前記線材の両端部からなる一対のアーム部と、を有する請求項１から５の何れか一項に記載の通信光検知用アダプタ。
【請求項７】
通信光検知用アダプタと、
前記通信光検知用アダプタに着脱自在に取り付けられる通信光検知器と、
を備え、
前記通信光検知用アダプタは、光取出孔を有するアダプタ本体と、前記アダプタ本体に取り付けられると共に前記光取出孔が閉鎖される閉位置と前記光取出孔が開放される開位置との間で摺動自在に配置される摺動式蓋部材と、前記摺動式蓋部材を前記開位置から前記閉位置に向けて付勢する付勢部材と、を有し、
前記通信光検知器は、前記光取出孔に収容される受光素子を有する検知器本体と、前記検知器本体に形成されると共に前記受光素子が前記光取出孔に収容される際に前記摺動式蓋部材を前記閉位置から前記開位置に向けて押圧する押圧脚部と、を有することを特徴とする通信光検知構造。
【請求項８】
前記通信光検知器は、前記検知器本体に形成されると共に前記受光素子が前記光取出孔に収容される際に前記受光素子を前記光取出孔に対して位置合わせするガイド脚部を更に有し、
前記通信光検知用アダプタは、前記ガイド脚部を受け入れるガイド部を更に有する請求項７に記載の通信光検知構造。
【請求項９】
前記ガイド脚部は、前記押圧脚部よりも長く形成される請求項８に記載の通信光検知構造。
【請求項１０】
前記アダプタ本体は、一対の分割体からなり、
一方の前記分割体に前記ガイド部が設けられ、
他方の前記分割体に前記摺動式蓋部材が設けられる請求項８又は９に記載の通信光検知構造。
【請求項１１】
前記通信光検知器は、前記検知器本体に形成されると共に前記通信光検知器が前記通信光検知用アダプタに取り付けられる際に前記通信光検知器と他の前記通信光検知用アダプタとの機械的な干渉を避ける逃げ溝を更に有する請求項７から１０の何れか一項に記載の通信光検知構造。
【請求項１２】
前記摺動式蓋部材は、前記押圧脚部を受ける受け部を有する請求項７から１１の何れか一項に記載の通信光検知構造。
【請求項１３】
前記押圧脚部及び／又は前記受け部は、前記受け部で前記押圧脚部を受けたときに前記摺動式蓋部材を前記閉位置から前記開位置に向けて摺動させる傾斜部を有する請求項１２に記載の通信光検知構造。
【発明の詳細な説明】
【技術分野】
【０００１】
本発明は、通信光を検知して光伝送路の使用／不使用の状態を目視で確認するための通信光検知用アダプタ及び通信光検知構造に関する。
【背景技術】
【０００２】
光通信関連設備では、光伝送路の健全性を監視したり、人為的なコネクタの誤抜を防止したりすべく、不可視光領域にある通信光を検知して光伝送路の使用／不使用の状態（以下、通信状態という）を確認するための通信光検知技術が使用されている。
【０００３】
この通信光検知技術を具現化したものとしては、光伝送路で伝送されている通信光の一部を漏洩光として取り出し、その漏洩光を受光素子で受光することにより、光伝送路で通信光が伝送されているか否かを検知し、人間が目視で確認することができる形態で光伝送路の通信状態を出力する通信光検知構造が知られている（例えば、特許文献１から特許文献４を参照）。
【０００４】
通信光検知構造は、図１６及び図１７に示すように、漏洩光を受光素子に向けて取り出す光取出孔１０１を有するアダプタ本体１０２と、アダプタ本体１０２に形成された軸部１１６に取り付けられると共に光取出孔１０１が閉鎖される閉位置と光取出孔１０１が開放される開位置との間で軸部１１６を回転軸として回転自在に配置される回転式蓋部材１６０１と、を有する通信光検知用アダプタ１６００を備えている。
【０００５】
この通信光検知用アダプタ１６００を使用する際には、光伝送路の通信状態を確認するとき以外は回転式蓋部材１６０１を閉位置に配置して光取出孔１０１を閉鎖することにより、粉塵等の異物が光取出孔１０１に侵入することを防止している。
【先行技術文献】
【特許文献】
【０００６】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００７】
ところで、通信光検知用アダプタ１６００を使用して光伝送路の通信状態を確認する際には、作業者が回転式蓋部材１６０１に形成されたつまみ部１６０２を押し下げて回転式蓋部材１６０１を手動で回転させることで回転式蓋部材１６０１を開位置に配置して光取出孔１０１を開放し、通信光検知器を通信光検知用アダプタ１６００に取り付けることで受光素子を光取出孔１０１に嵌着し、光伝送路の通信状態を確認した後で通信光検知器を通信光検知用アダプタ１６００から取り外し、再び作業者が回転式蓋部材１６０１を手動で回転させることで回転式蓋部材１６０１を閉位置に配置して光取出孔１０１を閉鎖するという作業手順を経ている。
【０００８】
そのため、従来技術に係る通信光検知用アダプタ１６００を使用する場合には、光伝送路の通信状態を確認する作業手順が煩雑で作業に時間が掛かり、また光伝送路の通信状態を確認した後に作業者が回転式蓋部材１６０１を閉位置に配置し忘れる等の人為的ミスに起因して光取出孔１０１に異物が侵入することが懸念される。
【０００９】
そこで、本発明の目的は、光伝送路の通信状態を確認するための作業手順を簡略化すると共に人為的ミスに起因する光取出孔への異物の侵入を防止することが可能な通信光検知用アダプタ及び通信光検知構造を提供することにある。
【課題を解決するための手段】
【００１０】
この目的を達成するために創案された本発明は、光取出孔を有するアダプタ本体と、前記アダプタ本体に取り付けられると共に前記光取出孔が閉鎖される閉位置と前記光取出孔が開放される開位置との間で摺動自在に配置される摺動式蓋部材と、前記摺動式蓋部材を前記開位置から前記閉位置に向けて付勢する付勢部材と、を備える通信光検知用アダプタである。
【００１１】
前記アダプタ本体は、上面に前記光取出孔を有する直方体形状の外形を呈し、前記摺動式蓋部材は、前記アダプタ本体の上面に接触して配置されると共に前記光取出孔を閉鎖又は開放する蓋部と、前記アダプタ本体の側面に間隙を隔てて配置されると共に前記付勢部材が収容される収容部と、を有すると良い。
【００１２】
前記摺動式蓋部材は、前記収容部の内面に形成されると共に前記アダプタ本体の側面に当接して前記間隙を一定に維持する左右ガタツキ防止部を更に有すると良い。
【００１３】
前記摺動式蓋部材は、前記蓋部と前記アダプタ本体の上面との接触を維持する上下ガタツキ防止部を更に有すると良い。
【００１４】
前記摺動式蓋部材は、摺動方向に沿って延在する長孔部を有し、前記アダプタ本体は、前記長孔部が係合される軸部を有すると良い。
【００１５】
前記付勢部材は、線材が螺旋形状に折り曲げられて形成されたコイル部と、前記線材の両端部からなる一対のアーム部と、を有すると良い。
【００１６】
また、本発明は、通信光検知用アダプタと、前記通信光検知用アダプタに着脱自在に取り付けられる通信光検知器と、を備え、前記通信光検知用アダプタは、光取出孔を有するアダプタ本体と、前記アダプタ本体に取り付けられると共に前記光取出孔が閉鎖される閉位置と前記光取出孔が開放される開位置との間で摺動自在に配置される摺動式蓋部材と、前記摺動式蓋部材を前記開位置から前記閉位置に向けて付勢する付勢部材と、を有し、前記通信光検知器は、前記光取出孔に収容される受光素子を有する検知器本体と、前記検知器本体に形成されると共に前記受光素子が前記光取出孔に収容される際に前記摺動式蓋部材を前記閉位置から前記開位置に向けて押圧する押圧脚部と、を有する通信光検知構造である。
【００１７】
前記通信光検知器は、前記検知器本体に形成されると共に前記受光素子が前記光取出孔に収容される際に前記受光素子を前記光取出孔に対して位置合わせするガイド脚部を更に有し、前記通信光検知用アダプタは、前記ガイド脚部を受け入れるガイド部を更に有すると良い。
【００１８】
前記ガイド脚部は、前記押圧脚部よりも長く形成されると良い。
【００１９】
前記アダプタ本体は、一対の分割体からなり、一方の前記分割体に前記ガイド部が設けられ、他方の前記分割体に前記摺動式蓋部材が設けられると良い。
【００２０】
前記通信光検知器は、前記検知器本体に形成されると共に前記通信光検知器が前記通信光検知用アダプタに取り付けられる際に前記通信光検知器と他の前記通信光検知用アダプタとの機械的な干渉を避ける逃げ溝を更に有すると良い。
【００２１】
前記摺動式蓋部材は、前記押圧脚部を受ける受け部を有すると良い。
【００２２】
前記押圧脚部及び／又は前記受け部は、前記受け部で前記押圧脚部を受けたときに前記摺動式蓋部材を前記閉位置から前記開位置に向けて摺動させる傾斜部を有すると良い。
【発明の効果】
【００２３】
本発明によれば、光伝送路の通信状態を確認するための作業手順を簡略化すると共に人為的ミスに起因する光取出孔への異物の侵入を防止することが可能な通信光検知用アダプタ及び通信光検知構造を提供することができる。
【図面の簡単な説明】
【００２４】
【図１】本発明に係る通信光検知用アダプタを示す斜視図であって、摺動式蓋部材が閉位置に配置されたときの通信光検知用アダプタを示す斜視図である。
【図２】本発明に係る通信光検知用アダプタを示す斜視図であって、摺動式蓋部材が開位置に配置されたときの通信光検知用アダプタを示す斜視図である。
【図３】本発明に係る通信光検知用アダプタを示す斜視図であって、ラックパネルに多連的に搭載されたときの通信光検知用アダプタを示す斜視図である。
【図４】本発明に係る通信光検知用アダプタにおける摺動式蓋部材を示す斜視図であって、斜め上方から見たときの摺動式蓋部材を示す斜視図である。
【図５】本発明に係る通信光検知用アダプタにおける摺動式蓋部材を示す斜視図であって、斜め下方から見たときの摺動式蓋部材を示す斜視図である。
【図６】本発明に係る通信光検知用アダプタを示す側面図であって、上下ガタツキ防止部の作用を説明する図である。
【図７】本発明に係る通信光検知用アダプタにおける付勢部材を示す斜視図である。
【図８】本発明に係る通信光検知用アダプタにおける摺動式蓋部材を示す斜視図であって、付勢部材が取り付けられたときの摺動式蓋部材を示す斜視図である。
【図９】本発明に係る通信光検知用アダプタを示す側面図であって、摺動式蓋部材が閉位置に配置されたときの通信光検知用アダプタを示す側面図である。
【図１０】本発明に係る通信光検知用アダプタを示す側面図であって、摺動式蓋部材が開位置に配置されたときの通信光検知用アダプタを示す側面図である。
【図１１】本発明に係る通信光検知構造を示す斜視図であって、通信光検知器が通信光検知構造に取り付けられる前の通信光検知構造を示す斜視図である。
【図１２】本発明に係る通信光検知構造を示す斜視図であって、通信光検知器が通信光検知構造に取り付けられた後の通信光検知構造を示す斜視図である。
【図１３】本発明に係る通信光検知構造における通信光検知器を示す部分斜視図である。
【図１４】本発明に係る通信光検知構造を示す斜視図であって、通信光検知器がラックパネルに多連的に搭載された通信光検知構造に取り付けられる前の通信光検知構造を示す斜視図である。
【図１５】本発明に係る通信光検知構造を示す斜視図であって、通信光検知器がラックパネルに多連的に搭載された通信光検知構造に取り付けられた後の通信光検知構造を示す斜視図である。
【図１６】従来技術に係る通信光検知用アダプタを示す斜視図であって、回転式蓋部材が閉位置に配置されたときの通信光検知用アダプタを示す斜視図である。
【図１７】従来技術に係る通信光検知用アダプタを示す斜視図であって、回転式蓋部材が開位置に配置されたときの通信光検知用アダプタを示す斜視図である。
【発明を実施するための形態】
【００２５】
以下、本発明の好適な実施の形態を添付図面にしたがって説明する。
【００２６】
先ず、本発明の好適な実施の形態に係る通信光検知用アダプタを説明する。
【００２７】
図１及び図２に示すように、本発明の好適な実施の形態に係る通信光検知用アダプタ１００は、光取出孔１０１を有するアダプタ本体１０２と、アダプタ本体１０２に取り付けられると共に光取出孔１０１が閉鎖される閉位置と光取出孔１０１が開放される開位置との間で摺動自在に配置される摺動式蓋部材１０３と、摺動式蓋部材１０３を開位置から閉位置に向けて付勢する付勢部材１０４と、を備えている。
【００２８】
ここで、図１は、摺動式蓋部材１０３が閉位置に配置されたときの通信光検知用アダプタ１００を示しており、図２は、摺動式蓋部材１０３が開位置に配置されたときの通信光検知用アダプタ１００を示している。
【００２９】
通信光検知用アダプタ１００は、アダプタ本体１０２の端部に嵌挿されるコネクタを相互に接続し、また後述する通信光検知器１１０１が通信光検知用アダプタ１００に取り付けられているときに光取出孔１０１を通じて漏洩光を後述する受光素子１１０２に向けて取り出す機能を有している。
【００３０】
この通信光検知用アダプタ１００は、例えば、図３に示すように、光通信関連設備にて使用されているラックパネル３０１に多連的に搭載されると共にＳＣコネクタを相互に接続するＳＣアダプタからなる。
【００３１】
再び図１及び図２を参照し、光取出孔１０１は、受光素子１１０２が漏洩光以外の光を受光して光伝送路の通信状態を正確に確認することができなくなることを防止すべく、受光素子１１０２を漏洩光以外の光から遮光するように収容し、また通信光検知器１１０１が通信光検知用アダプタ１００に取り付けられているときに漏洩光を受光素子１１０２に向けて取り出す機能を有している。
【００３２】
ここで、漏洩光とは、光伝送路で伝送されている通信光の一部が光伝送路の途中に形成されている光取出部を通じて光伝送路の外部に取り出されてなる光を意味している。
【００３３】
光取出部としては、例えば、特許文献１から特許文献３に記載された光検知用溝や特許文献５に記載された軸ズレ部等の公知の構造を採用することができるが、本明細書では詳細な説明を省略する。
【００３４】
アダプタ本体１０２は、上面１０５に光取出孔１０１を有する直方体形状の外形を呈している。また、アダプタ本体１０２は、コネクタが嵌挿される嵌挿口１０６を有する２つの分割体１０７を鍔部１０８を介して相互に連結して形成されている。
【００３５】
このとき、嵌挿口１０６の形状が異なる２つの分割体１０７を相互に連結してアダプタ本体１０２を形成することにより、異なる種類のコネクタを相互に接続することが可能な通信光検知用アダプタ１００を提供することができる。
【００３６】
嵌挿口１０６は、特定の種類のコネクタに適合する形状に形成されており、例えば、コネクタの上下面を識別し易くするためにコネクタの上面に形成されている上下面識別突起を受け入れる第１の溝部１０９を有している。
【００３７】
分割体１０７は、連結対象たる相手方の分割体１０７との確実な連結を実現すべく、これらの分割体１０７を適切な向きで嵌合させなければ連結ができない形状に形成されている。
【００３８】
また、分割体１０７は、連結対象たる相手方の分割体１０７との容易な連結を実現すべく、相手方の分割体１０７の爪部１１０が係合される係合部１１１と、相手方の分割体１０７の係合部１１１に係合される爪部１１０と、を有している。
【００３９】
更に、如何なる種類の分割体１０７を相互に連結してアダプタ本体１０２が形成されていたとしても、ラックパネル３０１の前面に露出されるアダプタ本体１０２の露出長を一定とすべく、アダプタ本体１０２は、スペーサ１１２を介してラックパネル３０１に搭載される。
【００４０】
スペーサ１１２は、所定の間隔を持って一体的に形成された一対の壁部１１３を有している。一方の壁部１１３がねじ等の締結部材を使用して分割体１０７の鍔部１０８に連結されると共に他方の壁部１１３がねじ等の締結部材を使用してラックパネル３０１に連結される。
【００４１】
一対の壁部１１３の間には、後述するガイド脚部１１０７を受け入れるガイド部１１４が形成されている。ガイド部１１４は、ガイド脚部１１０７がガイド部１１４に挿入されたときにそのガタツキを防止すべく、ガイド脚部１１０７と同程度の幅を有している。
【００４２】
また、アダプタ本体１０２は、側面１１５に形成された軸部１１６を有している。軸部１１６は、従来技術に係る通信光検知用アダプタ１６００では、回転式蓋部材１６０１を回転自在に支持するための回転軸として使用されていたが、本発明の好適な実施の形態に係る通信光検知用アダプタ１００では、軸部１１６から回転式蓋部材１６０１を取り外し、摺動式蓋部材１０３を摺動自在に支持するための摺動軸としてそのまま利用することができる。
【００４３】
図４及び図５に示すように、摺動式蓋部材１０３は、摺動方向に沿って延在する長孔部４０１を有している。この摺動式蓋部材１０３は、長孔部４０１が軸部１１６に係合されることでアダプタ本体１０２に取り付けられている。
【００４４】
長孔部４０１は、短軸が軸部１１６の外径と同程度の大きさに形成されると共に長軸が軸部１１６の外径よりも大きく形成されている。そのため、摺動式蓋部材１０３は、特定の方向、即ち、長孔部４０１の長軸方向のみに摺動自在に配置されることになる。
【００４５】
また、摺動式蓋部材１０３は、アダプタ本体１０２の上面１０５に接触して配置されると共に光取出孔１０１を閉鎖又は開放する蓋部４０２と、アダプタ本体１０２の側面１１５に間隙４０３を隔てて配置されると共に付勢部材１０４が収容される収容部４０４と、を有している。
【００４６】
蓋部４０２は、通信光検知器１１０１が通信光検知用アダプタ１００に取り付けられる際に光取出孔１０１に収容される受光素子１１０２と蓋部４０２とが機械的に干渉することを回避すべく、光取出孔１０１の外形に沿って円弧形状に切り欠かれて形成された切欠部４０５を有している。
【００４７】
また、蓋部４０２は、コネクタがアダプタ本体１０２に嵌挿される際にコネクタの上面に形成されている上下面識別突起と蓋部４０２とが機械的に干渉することを回避すべく、第１の溝部１０９と同形状に形成された第２の溝部４０６を有している。
【００４８】
収容部４０４は、蓋部４０２の左右側端に一体的に形成されている。また、収容部４０４は、摺動式蓋部材１０３が閉位置から開位置に摺動される際に収容部４０４に収容されている付勢部材１０４の動きを妨げることがないように、付勢部材１０４の可動範囲に亘って突出された外形を呈している。更に、収容部４０４とアダプタ本体１０２の側面１１５との間に形成された間隙４０３も、付勢部材１０４の動きを妨げることがない程度の幅を有している。
【００４９】
また、摺動式蓋部材１０３は、収容部４０４の内面に形成されると共にアダプタ本体１０２の側面１１５に当接して間隙４０３を一定に維持する左右ガタツキ防止部４０７と、蓋部４０２とアダプタ本体１０２の上面１０５との接触を維持する上下ガタツキ防止部４０８と、付勢部材１０４の一部が固定される固定部４０９と、付勢部材１０４の一部が固定される固定溝４１０と、を更に有している。
【００５０】
左右ガタツキ防止部４０７と固定部４０９は、それぞれ凸部からなり、その高さは、左右方向で収容部４０４にガタツキが発生したり、そのガタツキに伴い付勢部材１０４の動きが妨げられたりすることを防止すべく、同程度の高さを有している。
【００５１】
上下ガタツキ防止部４０８は、軸部１１６よりも開位置側にアダプタ本体１０２の上面１０５と接するように設けられ、摺動式蓋部材１０３が閉位置に配置されているときに摺動式蓋部材１０３が軸部１１６を回転軸として回転することを防止し、蓋部４０２がアダプタ本体１０２の上面１０５から浮き上がり、その隙間から異物が光取出孔１０１に侵入することを防止する機能を有している。
【００５２】
具体的には、図６に示すように、摺動式蓋部材１０３が閉位置に配置されているときには、軸部１１６が摺動式蓋部材１０３の開位置側の端部に寄ってしまい、光取出孔１０１を塞ぐ蓋部４０２に上下方向のガタツキが発生し易くなるが、アダプタ本体１０２の上面１０５に接触する蓋部４０２を開位置側に延長して上下ガタツキ防止部４０８を形成することにより、軸部１１６が摺動式蓋部材１０３の開位置側の端部に寄らないようにして蓋部４０２が浮き上がることを抑制することが可能となる。
【００５３】
更に、摺動式蓋部材１０３は、後述する押圧脚部１１０４を受ける受け部４１１を有している。受け部４１１は、受け部４１１で押圧脚部１１０４を受けたときに摺動式蓋部材１０３を閉位置から開位置に向けて摺動させる傾斜部４１２と、傾斜部４１２と連続して形成された円弧部４１３と、を有している。
【００５４】
傾斜部４１２は、押圧脚部１１０４の上下方向の動きを摺動式蓋部材１０３の摺動方向の動きに変換する機能を有している。円弧部４１３は、押圧脚部１１０４と受け部４１１との接触面積を小さくすることにより、押圧脚部１１０４と受け部４１１との間の摩擦を減らし、押圧脚部１１０４により摺動式蓋部材１０３を容易に摺動させる機能を有している。
【００５５】
図７に示すように、付勢部材１０４は、線材が螺旋形状に折り曲げられて形成されたコイル部７０１と、線材の両端部からなる一対のアーム部７０２と、からなる一対のねじりコイルばね（トーションスプリング）部７０３を有している。
【００５６】
ねじりコイルばね部７０３は、コイル部７０１に掛かる曲げ応力の反力で一対のアーム部７０２を角度変位させる機能を有しており、一方のねじりコイルばね部７０３のアーム部７０２と他方のねじりコイルばね部７０３のアーム部７０２とが連結部７０４を介して相互に連結されてダブルトーションスプリングを形成している。
【００５７】
なお、付勢部材１０４は、１本の線材を折り曲げ加工して製作することができる。
【００５８】
図８に示すように、付勢部材１０４は、コイル部７０１が摺動式蓋部材１０３の固定部４０９に固定されると共に連結部７０４が固定溝４１０に収容されて摺動式蓋部材１０３に固定されている。そのため、連結部７０４で連結されていない側のアーム部７０２が収容部４０４の内部で可動自在に配置されることになる。
【００５９】
図９に示すように、付勢部材１０４が固定された摺動式蓋部材１０３をアダプタ本体１０２に取り付ける際には、連結部７０４で連結されていない側のアーム部７０２が軸部１１６の上部に接触するようにして取り付ける。
【００６０】
また、連結部７０４で連結されていない側のアーム部７０２は、先端部が曲げられて形成された折曲部９０１を有している。折曲部９０１は、連結部７０４で連結されていない側のアーム部７０２が軸部１１６から外れようとしたときに軸部１１６に引っ掛かり、連結部７０４で連結されていない側のアーム部７０２が軸部１１６から外れることを防止する機能を有している。
【００６１】
これらにより、図１０に示すように、摺動式蓋部材１０３が閉位置から開位置に向けて摺動されたときに、連結部７０４で連結されていない側のアーム部７０２が軸部１１６の上方に跳ね上げられて一対のアーム部７０２が成す角度θが小さくなり、コイル部７０１に曲げ応力が掛かり、その曲げ応力の反力が一対のアーム部７０２が成す角度を大きくする方向に働き、摺動式蓋部材１０３が開位置から閉位置に向けて付勢されることになる。
【００６２】
なお、図９及び図１０では、説明のために摺動式蓋部材１０３を省略して描いている。
【００６３】
これまで説明してきたように、本発明の好適な実施の形態に係る通信光検知用アダプタ１００によれば、付勢部材１０４で摺動式蓋部材１０３が開位置から閉位置に向けて付勢されており、光伝送路の通信状態を確認した後で作業者が摺動式蓋部材１０３を手動で閉位置に配置しなくても、付勢部材１０４が摺動式蓋部材１０３を自動で閉位置に配置して光取出孔１０１を閉鎖することから、光伝送路の通信状態を確認するための作業手順を簡略化すると共に人為的ミスに起因する光取出孔１０１への異物の侵入を防止することが可能となる。
【００６４】
また、本発明の好適な実施の形態に係る通信光検知用アダプタ１００によれば、摺動式蓋部材１０３がアダプタ本体１０２の上面１０５を滑るように摺動するため、摺動式蓋部材１０３が開位置に配置される際に、光取出孔１０１の開口と略同期して受光素子が嵌着されるため、摺動式蓋部材１０３の上面に付着した異物が光取出孔１０１に落ちる危険性が低く、光取出孔１０１を異物の侵入から効果的に保護することができる。
【００６５】
次に、本発明の好適な実施の形態に係る通信光検知構造を説明する。
【００６６】
図１１及び図１２に示すように、本発明の好適な実施の形態に係る通信光検知構造１１００は、通信光検知用アダプタ１００と、通信光検知用アダプタ１００に着脱自在に取り付けられる通信光検知器１１０１と、を備えている。
【００６７】
図１３に示すように、通信光検知器１１０１は、光取出孔１０１に収容される受光素子１１０２を有する検知器本体１１０３と、検知器本体１１０３に形成されると共に受光素子１１０２が光取出孔１０１に収容される際に摺動式蓋部材１０３を閉位置から開位置に向けて押圧する押圧脚部１１０４と、を有している。
【００６８】
押圧脚部１１０４は、摺動式蓋部材１０３の受け部４１１で押圧脚部１１０４を受けたときに摺動式蓋部材１０３を閉位置から開位置に向けて摺動させる傾斜部１１０５を有している。
【００６９】
傾斜部１１０５は、傾斜角度が受け部４１１の傾斜部４１２と異なることが好ましい。これにより、押圧脚部１１０４の傾斜部１１０５と受け部４１１の傾斜部４１２との接触面積を小さくすることができ、押圧脚部１１０４と受け部４１１との間の摩擦を減らし、押圧脚部１１０４により摺動式蓋部材１０３を容易に摺動させることができるようになる。
【００７０】
また、押圧脚部１１０４は、摺動式蓋部材１０３の受け部４１１を押圧する際に、先ず傾斜部１１０５が受け部４１１の円弧部４１３に接触し、次に直線部１１０６が円弧部４１３に接触するが、直線部１１０６が円弧部４１３に接触する寸前で摺動式蓋部材１０３が開位置に配置されるように、押圧脚部１１０４の長さや傾斜部１１０５の傾斜角度が調整されている。
【００７１】
また、通信光検知器１１０１は、検知器本体１１０３に形成されると共に受光素子１１０２が光取出孔１０１に収容される際に受光素子１１０２を光取出孔１０１に対して位置合わせするガイド脚部１１０７と、検知器本体１１０３に形成されると共に通信光検知器１１０１が通信光検知用アダプタ１００に取り付けられる際に通信光検知器１１０１と他の通信光検知用アダプタ１００との機械的な干渉を避ける逃げ溝１１０８と、を更に有している。
【００７２】
ガイド脚部１１０７は、通信光検知器１１０１が通信光検知用アダプタ１００に取り付けられる際に通信光検知用アダプタ１００のガイド部１１４に挿入されることにより、通信光検知器１１０１の移動方向を通信光検知用アダプタ１００の上下方向のみに限定し、受光素子１１０２を光取出孔１０１の直上に位置合わせする機能を有している。また、ガイド脚部１１０７は、ガイド部１１４への挿入を容易にすべく、先端部に掛けて厚さが減少する簿肉部１１０９を有している。
【００７３】
更に、ガイド脚部１１０７は、押圧脚部１１０４よりも長く形成されている。そのため、通信光検知器１１０１が通信光検知用アダプタ１００に取り付けられる際に押圧脚部１１０４よりもガイド脚部１１０７が先にガイド部１１４に挿入されて位置決めがされた後で押圧脚部１１０４が摺動式蓋部材１０３を押圧することができるようになり、安定性が向上する。
【００７４】
逃げ溝１１０８は、押圧脚部１１０４とガイド脚部１１０７との間の隙間１１１０を検知器本体１１０３に亘って延長するように形成されている。そのため、図１１及び図１２に示したように、隙間１１１０と逃げ溝１１０８とにより、検知器本体１１０３と２つのアダプタ本体１０２の鍔部１０８及び一対の壁部１１３を有するスペーサ１１２の一方の壁部１１３との機械的な干渉が回避されることになる。
【００７５】
また、図１４及び図１５に示すように、隙間１１１０と逃げ溝１１０８とにより、ラックパネル３０１に多連的に搭載された他の通信光検知用アダプタ１００との機械的な干渉も回避されることになる。
【００７６】
これらの押圧脚部１１０４とガイド脚部１１０７とは、通信光検知器１１０１が通信光検知用アダプタ１００に取り付けられる際の安定性を確保すべく、通信光検知用アダプタ１００を挟持するように一対ずつ形成されている。
【００７７】
これまで説明してきたように、本発明の好適な実施の形態に係る通信光検知構造１１００によれば、通信光検知器１１０１を通信光検知用アダプタ１００に取り付けると、通信光検知器１１０１の押圧脚部１１０４で摺動式蓋部材１０３の受け部４１１が押圧されることで摺動式蓋部材１０３が自動で開位置に配置されると共に、通信光検知器１１０１を通信光検知用アダプタ１００から取り外すと、付勢部材１０４により摺動式蓋部材１０３が自動で閉位置に配置されるため、光伝送路の通信状態を確認するための作業手順を簡略化すると共に人為的ミスに起因する光取出孔１０１への異物の侵入を防止することが可能となる。
【符号の説明】
【００７８】
１００  通信光検知用アダプタ
１０１  光取出孔
１０２  アダプタ本体
１０３  摺動式蓋部材
１０４  付勢部材
１０５  上面
１０６  嵌挿口
１０７  分割体
１０８  鍔部
１０９  第１の溝部
１１０  爪部
１１１  係合部
１１２  スペーサ
１１３  壁部
１１４  ガイド部
１１５  側面
１１６  軸部
４０１  長孔部
４０２  蓋部
４０３  間隙
４０４  収容部
４０５  切欠部
４０６  第２の溝部
４０７  左右ガタツキ防止部
４０８  上下ガタツキ防止部
４０９  固定部
４１０  固定溝
４１１  受け部
４１２  傾斜部
４１３  円弧部
７０１  コイル部
７０２  アーム部
７０３  ねじりコイルばね部
７０４  連結部
９０１  折曲部
１１０１  通信光検知器
１１０２  受光素子
１１０３  検知器本体
１１０４  押圧脚部
１１０５  傾斜部
１１０６  直線部
１１０７  ガイド脚部
１１０８  逃げ溝
１１０９  簿肉部
１１１０  隙間
【図１】
2015166824.tif 000003
【図２】
2015166824.tif 000004
【図３】
2015166824.tif 000005
【図４】
2015166824.tif 000006
【図５】
2015166824.tif 000007
【図６】
2015166824.tif 000008
【図７】
2015166824.tif 000009
【図８】
2015166824.tif 000010
【図９】
2015166824.tif 000011
【図１０】
2015166824.tif 000012
【図１１】
2015166824.tif 000013
【図１２】
2015166824.tif 000014
【図１３】
2015166824.tif 000015
【図１４】
2015166824.tif 000016
【図１５】
2015166824.tif 000017
【図１６】
2015166824.tif 000018
【図１７】
2015166824.tif 000019